(57)【特許請求の範囲】
【請求項１】
吸収性物品であって、
前方部、股下部および後方部を長手方向に順に有する略シート状の本体部と、
前記本体部の前記前方部に設けられ、前記本体部の内面上に載置される補助吸収具における前記本体部の前記前方部側の端部を保持する前方保持部と、
前記本体部の前記後方部に設けられ、前記補助吸収具における前記本体部の前記後方部側の端部を保持する後方保持部と、
を備え、
前記前方保持部および前記後方保持部の一方の保持部が、
前記本体部の前記内面上に重ねられるシートであって、前記一方の保持部が設けられる前記本体部の端部から前記股下部に向かうに従って、前記長手方向に沿う前記本体部の中心線から左右方向の両側に離れる一対の傾斜エッジを有し、前記本体部の前記端部および両側部のエッジに沿う部位が接合部として前記本体部に接合される保持シートと、
前記一対の傾斜エッジに沿って前記保持シートに接合される一対の保持弾性部材と、
を備え、
前記前方保持部および前記後方保持部の他方の保持部が、
前記保持シートと同様の構造である他の保持シートと、
前記一対の保持弾性部材と同様の構造である他の一対の保持弾性部材と、
を備え、
前記本体部を前記長手方向および前記左右方向に伸張した状態において、前記後方保持部における一対の傾斜エッジの前記中心線に対する傾斜角が、前記前方保持部における前記傾斜角よりも小さいことを特徴とする吸収性物品。
【請求項２】
請求項１に記載の吸収性物品であって、
前記本体部が、
吸収コアと、
前記吸収コアの内面を覆うトップシートと、
前記吸収コアの外面を覆うバックシートと、
前記股下部において前記吸収コアの前記長手方向に沿う両側部エッジ近傍にて前記長手方向に伸びる一対の股下弾性部材と、
を備え、
前記本体部の前記内面上に前記補助吸収具が載置された状態において、前記補助吸収具の両側部が、前記一対の股下弾性部材と重なることを特徴とする吸収性物品。
【請求項３】
吸収性物品であって、
前方部、股下部および後方部を長手方向に順に有する略シート状の本体部と、
前記本体部の前記前方部に設けられ、前記本体部の内面上に載置される補助吸収具における前記本体部の前記前方部側の端部を保持する前方保持部と、
前記本体部の前記後方部に設けられ、前記補助吸収具における前記本体部の前記後方部側の端部を保持する後方保持部と、
を備え、
前記前方保持部および前記後方保持部の一方の保持部が、
前記本体部の前記内面上に重ねられるシートであって、前記一方の保持部が設けられる前記本体部の端部から前記股下部に向かうに従って、前記長手方向に沿う前記本体部の中心線から左右方向の両側に離れる一対の傾斜エッジを有し、前記本体部の前記端部および両側部のエッジに沿う部位が接合部として前記本体部に接合される保持シートと、
前記一対の傾斜エッジに沿って前記保持シートに接合される一対の保持弾性部材と、
を備え、
前記本体部が、
吸収コアと、
前記吸収コアの内面を覆うトップシートと、
前記吸収コアの外面を覆うバックシートと、
前記股下部において前記吸収コアの前記長手方向に沿う両側部エッジ近傍にて前記長手方向に伸びる一対の股下弾性部材と、
を備え、
前記本体部の前記内面上に前記補助吸収具が載置された状態において、前記補助吸収具の両側部が、前記一対の股下弾性部材と重なることを特徴とする吸収性物品。
【請求項４】
請求項３に記載の吸収性物品であって、
前記前方保持部および前記後方保持部の他方の保持部が、
前記保持シートと同様の構造である他の保持シートと、
前記一対の保持弾性部材と同様の構造である他の一対の保持弾性部材と、
を備えることを特徴とする吸収性物品。
【請求項５】
請求項２ないし４のいずれかに記載の吸収性物品であって、
前記本体部の前記股下部において、前記一対の股下弾性部材よりも前記左右方向の外側の部位が、前記長手方向に伸縮性を有さないことを特徴とする吸収性物品。
【請求項６】
請求項１ないし５のいずれかに記載の吸収性物品であって、
前記保持シートが、前記本体部の前記端部側にて前記一対の傾斜エッジを接続する接続エッジを有し、
前記接続エッジが、前記端部における前記接合部から前記長手方向に離間することを特徴とする吸収性物品。
【請求項７】
請求項６に記載の吸収性物品であって、
前記保持シートにおいて前記接続エッジに沿う部位が前記左右方向に伸縮性を有さないことを特徴とする吸収性物品。
【請求項８】
請求項１ないし７のいずれかに記載の吸収性物品であって、
前記本体部を前記長手方向および前記左右方向に伸張した状態において、前記一対の傾斜エッジの前記中心線に対する傾斜角が４５°以下であることを特徴とする吸収性物品。
【請求項９】
請求項１ないし８のいずれかに記載の吸収性物品であって、
前記本体部において前記後方部の両側部に取り付けられ、前記前方部の外面に止着されることにより、前記両側部を前記前方部の両側部に接続する一対の接続部をさらに備えることを特徴とする吸収性物品。
【発明の詳細な説明】
【技術分野】
【０００１】
本発明は、吸収性物品に関する。
【背景技術】
【０００２】
使い捨ておむつを使用する際に、使い捨ておむつ自体の取替回数を少なくするため、補助吸収具を併用することが行われている。例えば、特許文献１の使い捨ておむつでは、前身頃および後身頃のそれぞれの内面に、前後方向中央側に開口する複数のポケットが設けられる。複数のポケットの開口位置は前後方向に離間する。前身頃および後身頃において、複数のポケットのいずれかを選択することにより、補助吸収具が長いものであるか短いものであるかに関わらず、補助吸収具のずれを防止することができる。また、ポケットを構成するシートにポケット弾性部材が固定されることにより、当該シートを内面から立ち上げて、漏れ防止効果を向上することができる。
【０００３】
特許文献２の使い捨ておむつでは、前身頃および後身頃の使用面にフラップ部が設けられ、フラップ部と表面構成シートによりポケットが形成される。ポケット内には、補助吸収具を止着するための止着部が設けられ、当該止着部と対面する位置に仮止部が設けられる。これにより、補助吸収具のずれを防止するとともに、仮止部と止着部とを仮接着することでフラップ部の動きを制限することもできる。
【０００４】
なお、特許文献３のパンツ型使い捨ておむつでは、長手方向両端縁において、端縁を挟み込むように覆って取り付けられた伸縮弾性リボンによりウエスト周り伸縮弾性部材が形成される。また、おむつの内側には、伸縮弾性リボンを形成するシートが、おむつの長手方向両側縁における長さが最も長く、おむつの中央部に向かって弧を描くように短くなって配置される。当該シートとおむつとの間には、ポケット構造が形成されることにより、腹側や背側のウエスト周りからの漏れが防止される。
【先行技術文献】
【特許文献】
【０００５】
【特許文献１】特開２０１１−２０６２１８号公報
【特許文献２】特開２００８−２３７３９１号公報
【特許文献３】特開平１１−３２３６１１号公報
【発明の概要】
【発明が解決しようとする課題】
【０００６】
ところで、特許文献１および２のおむつでは、補助吸収具の取付の際に、左右方向に長いポケットに補助吸収具の端部の全体が挿入されるため、ポケット内にて補助吸収具の当該端部を広げる等、取付作業に時間がかかることがある。また、特許文献１および２のおむつでは、複数のポケットを形成したり、ポケット内に止着部を設ける必要があるため、使い捨ておむつの製造工程が煩雑となる。補助吸収具の併用では、補助吸収具のずれを抑制することが重要となり、長手方向および左右方向の双方における補助吸収具のずれを簡単な構造にて抑制することが求められている。
【０００７】
本発明は上記課題に鑑みなされたものであり、補助吸収具を吸収性物品に容易に取り付けるとともに、長手方向および左右方向の双方における補助吸収具のずれを簡単な構造にて抑制することを目的としている。
【課題を解決するための手段】
【０００８】
請求項１に記載の発明は、吸収性物品であって、前方部、股下部および後方部を長手方向に順に有する略シート状の本体部と、前記本体部の前記前方部に設けられ、前記本体部の内面上に載置される補助吸収具における前記本体部の前記前方部側の端部を保持する前方保持部と、前記本体部の前記後方部に設けられ、前記補助吸収具における前記本体部の前記後方部側の端部を保持する後方保持部とを備え、前記前方保持部および前記後方保持部の一方の保持部が、前記本体部の前記内面上に重ねられるシートであって、前記一方の保持部が設けられる前記本体部の端部から前記股下部に向かうに従って、前記長手方向に沿う前記本体部の中心線から左右方向の両側に離れる一対の傾斜エッジを有し、前記本体部の前記端部および両側部のエッジに沿う部位が接合部として前記本体部に接合される保持シートと、前記一対の傾斜エッジに沿って前記保持シートに接合される一対の保持弾性部材とを備え、前記前方保持部および前記後方保持部の他方の保持部が、前記保持シートと同様の構造である他の保持シートと、前記一対の保持弾性部材と同様の構造である他の一対の保持弾性部材とを備え、前記本体部を前記長手方向および前記左右方向に伸張した状態において、前記後方保持部における一対の傾斜エッジの前記中心線に対する傾斜角が、前記前方保持部における前記傾斜角よりも小さい。
請求項２に記載の発明は、請求項１に記載の吸収性物品であって、前記本体部が、吸収コアと、前記吸収コアの内面を覆うトップシートと、前記吸収コアの外面を覆うバックシートと、前記股下部において前記吸収コアの前記長手方向に沿う両側部エッジ近傍にて前記長手方向に伸びる一対の股下弾性部材とを備え、前記本体部の前記内面上に前記補助吸収具が載置された状態において、前記補助吸収具の両側部が、前記一対の股下弾性部材と重なる。
請求項３に記載の発明は、吸収性物品であって、前方部、股下部および後方部を長手方向に順に有する略シート状の本体部と、前記本体部の前記前方部に設けられ、前記本体部の内面上に載置される補助吸収具における前記本体部の前記前方部側の端部を保持する前方保持部と、前記本体部の前記後方部に設けられ、前記補助吸収具における前記本体部の前記後方部側の端部を保持する後方保持部とを備え、前記前方保持部および前記後方保持部の一方の保持部が、前記本体部の前記内面上に重ねられるシートであって、前記一方の保持部が設けられる前記本体部の端部から前記股下部に向かうに従って、前記長手方向に沿う前記本体部の中心線から左右方向の両側に離れる一対の傾斜エッジを有し、前記本体部の前記端部および両側部のエッジに沿う部位が接合部として前記本体部に接合される保持シートと、前記一対の傾斜エッジに沿って前記保持シートに接合される一対の保持弾性部材とを備え、前記本体部が、吸収コアと、前記吸収コアの内面を覆うトップシートと、前記吸収コアの外面を覆うバックシートと、前記股下部において前記吸収コアの前記長手方向に沿う両側部エッジ近傍にて前記長手方向に伸びる一対の股下弾性部材とを備え、前記本体部の前記内面上に前記補助吸収具が載置された状態において、前記補助吸収具の両側部が、前記一対の股下弾性部材と重なる。
請求項４に記載の発明は、請求項３に記載の吸収性物品であって、前記前方保持部および前記後方保持部の他方の保持部が、前記保持シートと同様の構造である他の保持シートと、前記一対の保持弾性部材と同様の構造である他の一対の保持弾性部材とを備える。
請求項５に記載の発明は、請求項２ないし４のいずれかに記載の吸収性物品であって、前記本体部の前記股下部において、前記一対の股下弾性部材よりも前記左右方向の外側の部位が、前記長手方向に伸縮性を有さない。
【０００９】
請求項６に記載の発明は、請求項１ないし５のいずれかに記載の吸収性物品であって、前記保持シートが、前記本体部の前記端部側にて前記一対の傾斜エッジを接続する接続エッジを有し、前記接続エッジが、前記端部における前記接合部から前記長手方向に離間する。
【００１０】
請求項７に記載の発明は、請求項６に記載の吸収性物品であって、前記保持シートにおいて前記接続エッジに沿う部位が前記左右方向に伸縮性を有さない。
【００１１】
請求項８に記載の発明は、請求項１ないし７のいずれかに記載の吸収性物品であって、前記本体部を前記長手方向および前記左右方向に伸張した状態において、前記一対の傾斜エッジの前記中心線に対する傾斜角が４５°以下である。
【００１６】
請求項９に記載の発明は、請求項１ないし８のいずれかに記載の吸収性物品であって、前記本体部において前記後方部の両側部に取り付けられ、前記前方部の外面に止着されることにより、前記両側部を前記前方部の両側部に接続する一対の接続部をさらに備える。
【発明の効果】
【００１７】
本発明によれば、補助吸収具を吸収性物品に容易に取り付けるとともに、長手方向および左右方向の双方における補助吸収具のずれを簡単な構造にて抑制することができる。
【図面の簡単な説明】
【００１８】
【図１】使い捨ておむつの平面図である。
【図２】使い捨ておむつの断面図である。
【図３】使い捨ておむつの斜視図である。
【図４】補助吸収具が取り付けられた状態における使い捨ておむつの平面図である。
【図５】補助吸収具および使い捨ておむつの断面図である。
【図６】補助吸収具および使い捨ておむつの断面図である。
【発明を実施するための形態】
【００１９】
図１は、本発明の一の実施の形態に係る吸収性物品である使い捨ておむつ１を広げた状態にて示す平面図である。図２は、使い捨ておむつ１を図１中に示すＡ−Ａの位置で長手方向（すなわち、図１中における縦方向）に垂直な面で切断した断面図である。使い捨ておむつ１は、着用者の腹側に接する部位と背側に接する部位とを、左右両側の止着シートである接続部４により腰周りで止着して着用するテープタイプの使い捨ておむつであり、着用者からの排泄物を受ける。図１では、着用時に着用者に接する側（すなわち、着用者側）の面を手前にして使い捨ておむつ１を描いている。
【００２０】
使い捨ておむつ１は、略シート状の本体部２、および、本体部２の内面（着用者側の面）上に載置される補助吸収具７（後述の図４参照）を保持する吸収具保持部３を備える。図１では、長手方向に沿う本体部２の中心線を、符号Ｃ１を付す一点鎖線にて示している。
【００２１】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「股下部２０２」と呼ぶ。使い捨ておむつ１では、本体部２が前方部２０１、股下部２０２および後方部２０３を長手方向に順に有し、前方部２０１および後方部２０３の幅が、股下部２０２の幅よりも大きい。本体部２は、使い捨ておむつ１の主要部であるため、本体部２の前方部２０１、股下部２０２および後方部２０３は、それぞれ使い捨ておむつ１の前方部、股下部および後方部と捉えることができる。
【００２２】
吸収具保持部３は、本体部２の内面のおよそ全体に広がる補助シート３１、および、補助シート３１に接合される複数の弾性部材３２を備える。補助シート３１には、大きな開口３１１が形成される。後述するように、補助シート３１は補助吸収具７の保持に利用される。以下、弾性部材３２を「保持弾性部材３２」という。吸収具保持部３の構造の詳細については後述する。
【００２３】
使い捨ておむつ１は、後方部２０３の両側部に取り付けられた一対の接続部４をさらに備える。使い捨ておむつ１が着用者に装着される際には、本体部２の前方部２０１および後方部２０３がそれぞれ着用者の腹側および背側に接した状態で、一対の接続部４が、図３に示すように、前方部２０１の外面（すなわち、着用者に接する面とは反対側の面）の被止着シート２６に止着されることにより、後方部２０３の両側部が前方部２０１の両側部に接続される。
【００２４】
図１および図２に示すように、本体部２は、透液性のトップシート２１、撥水性または不透液性のバックシート２３、および、トップシート２１とバックシート２３との間に配置された吸収コア２２により形成される。トップシート２１は、吸収コア２２の内面を覆い、バックシート２３は吸収コア２２の外面を覆う。図２では、図示の都合上、使い捨ておむつ１の各構成を厚さ方向に離して描いている。また、図１では、図の理解を容易にするために、吸収コア２２の輪郭を太破線にて描いている。
【００２５】
図１に示すように、前方部２０１および後方部２０３における吸収コア２２の外形の幅（すなわち、本体部２の長手方向に垂直な左右方向の長さ）は、股下部２０２における吸収コア２２の外形の幅よりも大きい。換言すれば、吸収コア２２の外形は砂時計型である。吸収コア２２の外形の幅を規定する２つのエッジ２２１、すなわち、吸収コア２２の両側部エッジ２２１は、股下部２０２において長手方向に沿って伸び、本体部２の中心線Ｃ１にほぼ平行である。股下部２０２において、中心線Ｃ１から吸収コア２２の各側部エッジ２２１までの距離は、好ましくは、中心線Ｃ１から本体部２の側部エッジまでの距離の２／３以下であり、より好ましくは、１／２以下である（例えば、１／３以上）。
【００２６】
吸収コア２２は、その厚さが吸収コア２２の他の位置における厚さよりも薄い薄肉部２２２を有する。薄肉部２２２は、本体部２の中心線Ｃ１上に配置され、長手方向において股下部２０２のおよそ全体に亘って広がる。好ましい使い捨ておむつ１では、吸収コア２２を形成する親水性繊維および吸水性材料が、薄肉部２２２に配置されない。例えば、薄肉部２２２の左右方向の幅は、股下部２０２における吸収コア２２の外形の幅の１／３以下である。吸収コア２２における薄肉部２２２は、前方部２０１および後方部２０３には設けられない。すなわち、前方部２０１および後方部２０３における吸収コア２２の厚さは、ほぼ一定である。薄肉部２２２は、長手方向における吸収コア２２の全体に亘って設けられてもよい。
【００２７】
図２に示すように、トップシート２１は、吸収コア２２の周りにおいてホットメルト接着剤（他の種類の接着剤であってよい。以下同様。）を介してバックシート２３に接合される。また、補助シート３１における長手方向の外側の部位、および、左右方向の外側の部位は、バックシート２３のトップシート２１から露出する部位、および、トップシート２１のエッジ近傍の部位に、ホットメルト接着剤を介して接合される。
【００２８】
図１および図２に示すように、本体部２の股下部２０２では、長手方向に伸びる一対の股下弾性部材２４が、吸収コア２２の両側部エッジ２２１近傍にそれぞれ配置される。各股下弾性部材２４は、互いに平行に配列された複数の股下弾性要素２４１，２４２を含む。股下弾性要素２４１は、左右方向における各側部エッジ２２１の外側にてトップシート２１とバックシート２３との間に挟まれ、ホットメルト接着剤により両者に伸張状態にて接合されている。股下弾性要素２４２は、左右方向における各側部エッジ２２１の内側にてバックシート２３と吸収コア２２の外面との間に挟まれ、ホットメルト接着剤により両者に伸張状態にて接合されている。これらのホットメルト接着剤としては、ポリオレフィン系、ゴム系、酢酸ビニル系等のものが利用される（以下同様）。股下部２０２において、一対の股下弾性部材２４の左右方向における両外側には、いずれの弾性部材も設けられない。なお、トップシート２１とバックシート２３との接合や補助シート３１とトップシート２１およびバックシート２３との接合は、熱融着接合や超音波接合等により行われてもよい。
【００２９】
図１に示すように、本体部２の長手方向の両端部にはそれぞれ、トップシート２１とバックシート２３とに挟まれるとともに左右方向に伸びる弾性部材２５が設けられる。弾性部材２５は、互いに平行に配列された複数の弾性要素を含む。使い捨ておむつ１では、伸張状態にてトップシート２１およびバックシート２３に接合された弾性部材２５が収縮することによりウエストギャザーが形成され、使い捨ておむつ１の着用時に本体部２が着用者の腰周りに密着する。これにより、腰周りからの尿等の漏出が防止される。
【００３０】
トップシート２１は、透液性のシート材料であり、着用者からの排泄物の水分を速やかに捕捉して吸収コア２２へと移動させる。トップシート２１は、例えば、表面を界面活性剤により親水処理した疎水性繊維（ポリプロピレン、ポリエチレン、ポリエステル、ポリアミド、ナイロン等）にて形成された透液性の不織布であり、当該不織布として、例えば、ポイントボンド不織布やエアスルー不織布、スパンボンド不織布が利用される。なお、トップシート２１として、セルロースやレーヨン、コットン等の親水性繊維により形成された不織布（例えば、スパンレース不織布）が利用されてもよい。
【００３１】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態における吸収コア２２は、パルプ繊維およびＳＡＰ、または、ＳＡＰのみを含み（いわゆる、ＳＡＰシート）、薄型である。
【００３２】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すことが防止される。バックシート２３にプラスチックフィルムが利用される場合、使い捨ておむつ１の蒸れを防止して着用者の快適性を向上するという観点からは、透湿性（通気性）を有するプラスチックフィルムが利用されることが好ましい。
【００３３】
補助シート３１としては、例えば、疎水性繊維にて形成された撥水性または不透液性の不織布（スパンボンド不織布やメルトブロー不織布、ＳＭＳ不織布等）が利用される。弾性部材２４，２５，３２の弾性要素としては、例えば、ポリウレタン糸、帯状のポリウレタンフィルム、糸状または帯状の天然ゴム等が利用され、本実施の形態では、ポリウレタン糸が各弾性要素として利用される。もちろん、弾性部材２４，２５，３２は、１つの弾性要素のみを含んでよい。
【００３４】
図４は、着用者からの排泄物を受ける補助吸収具７が、本体部２の内面上に取り付けられた状態における使い捨ておむつ１を示す平面図であり、図５は、補助吸収具７および使い捨ておむつ１を図４中に示すＢ−Ｂの位置で長手方向に垂直な面で切断した断面図である。図４および図５では、補助吸収具７および使い捨ておむつ１を広げた状態（すなわち、長手方向および左右方向に伸張した状態）を示している。
【００３５】
既述のように、図４に示す吸収具保持部３は、補助シート３１、および、複数の保持弾性部材３２を備える。補助シート３１の開口３１１は、長手方向において本体部２の前方部２０１から後方部２０３に亘って形成される。前方部２０１における開口３１１のエッジは、本体部２の中心線Ｃ１に対して対称な形状となる一対の傾斜エッジ３１２を含む。本体部２の前方部２０１側の端部から股下部２０２に向かうに従って、一対の傾斜エッジ３１２は、本体部２の中心線Ｃ１から左右方向の両側に離れる。換言すると、左右方向における開口３１１の幅が、当該端部から股下部２０２に向かって漸次増大する。後方部２０３における開口３１１のエッジも、本体部２の中心線Ｃ１に対して対称な形状となる一対の傾斜エッジ３１２を含む。本体部２の後方部２０３側の端部から股下部２０２に向かうに従って、一対の傾斜エッジ３１２は、本体部２の中心線Ｃ１から左右方向の両側に離れる。すなわち、左右方向における開口３１１の幅が、当該端部から股下部２０２に向かって漸次増大する。股下部２０２における開口３１１の幅は、一定である。
【００３６】
補助シート３１には、各傾斜エッジ３１２に沿って保持弾性部材３２が伸張状態にてホットメルト接着剤により接合される。すなわち、補助シート３１の前方部２０１側の部位において、一対の保持弾性部材３２が一対の傾斜エッジ３１２に沿って接合され、補助シート３１の後方部２０３側の部位において、一対の保持弾性部材３２が、一対の傾斜エッジ３１２に沿って補助シート３１に接合される。各保持弾性部材３２は、互いに平行に配列された複数の弾性要素の集合である。
【００３７】
補助シート３１の前方部２０１側の部位、および、後方部２０３側の部位のそれぞれにおいて、一対の傾斜エッジ３１２は、中心線Ｃ１に交差する接続エッジ３１３を介して互いに接続する。接続エッジ３１３は、およそ左右方向に広がる弧状である。接続エッジ３１３は、左右方向に伸びる直線状であってもよい。補助シート３１では、接続エッジ３１３に沿う部位には、いずれの弾性部材も設けられない。すなわち、補助シート３１において接続エッジ３１３に沿う部位は、左右方向に伸縮性を有さず、接続エッジ３１３近傍にはギャザーが形成されない。使い捨ておむつ１の設計によっては、接続エッジ３１３に沿って弾性部材が設けられてもよい。
【００３８】
補助シート３１は、開口３１１の周囲において本体部２の内面（トップシート２１の内面またはバックシート２３の内面）に接合される。詳細には、長手方向における本体部２の両端部のエッジに沿う補助シート３１の部位が、端部接合部３１８として本体部２に接合され、本体部２の両側部のエッジ（長手方向に沿うエッジ）に沿う補助シート３１の部位が、側部接合部３１９として本体部２に接合される。図４では、補助シート３１が本体部２の内面に接合される領域、すなわち、端部接合部３１８および側部接合部３１９を平行斜線を付して示している。
【００３９】
補助シート３１の前方部２０１側の部位、および、後方部２０３側の部位のそれぞれにおいて、接続エッジ３１３は、端部接合部３１８から長手方向に離間する。すなわち、接続エッジ３１３と端部接合部３１８との間には、補助シート３１が本体部２に接合されない非接合領域が設定される。当該非接合領域では、補助シート３１と本体部２の内面との間に、中央ポケット５１が形成される。長手方向における接続エッジ３１３と端部接合部３１８との間の長さ、すなわち、中央ポケット５１の深さは、例えば１〜５センチメートルである。
【００４０】
また、各傾斜エッジ３１２と、端部接合部３１８および側部接合部３１９との間にも、補助シート３１が本体部２に接合されない非接合領域が設定される。当該非接合領域では、補助シート３１と本体部２の内面との間に、側部ポケット５２が形成される。このように、前方部２０１および後方部２０３のそれぞれでは、中心線Ｃ１の位置に中央ポケット５１が設けられ、左右方向における中央ポケット５１の両外側に一対の側部ポケット５２が当該中央ポケット５１に連続して設けられる。
【００４１】
使い捨ておむつ１では、本体部２を長手方向および左右方向に伸張した状態において、一対の傾斜エッジ３１２の中心線Ｃ１に対する傾斜角は、４５°以下であることが好ましく、これにより、長手方向に深い側部ポケット５２が形成される。また、後方部２０３における一対の傾斜エッジ３１２の中心線Ｃ１に対する傾斜角が、前方部２０１における当該傾斜角よりも小さいことが好ましい。これにより、後方部２０３における側部ポケット５２の深さが、前方部２０１における側部ポケット５２の深さよりも大きくなる。
【００４２】
股下部２０２では、開口３１１の周囲における補助シート３１のおよそ全体の部位が、本体部２の内面に接合される。したがって、前方部２０１における一対の側部ポケット５２と、後方部２０３における一対の側部ポケット５２とは、股下部２０２において実質的に不連続である。また、股下部２０２に対向する補助シート３１の部位には、いずれの弾性部材も設けられない。
【００４３】
図４および図５に示すように、補助吸収具７は、略シート状の補助吸収具本体部７２、および、補助吸収具本体部７２の両側部上において補助吸収具本体部７２の長手方向のおよそ全長に亘る一対の補助吸収具サイドシート７３を備える。図４に示す補助吸収具７では、使い捨ておむつ１の前方部２０１側に配置される部位と、後方部２０３側に配置される部位との間で、形状および大きさが僅かに相違する。具体的には、前方部２０１側に配置される部位の左右方向の幅は、後方部２０３側に配置される部位の左右方向の幅よりも小さい。
【００４４】
図５に示すように補助吸収具本体部７２は、トップシート７２１、バックシート７２３、および、トップシート７２１とバックシート７２３との間に配置された吸収コア７２２を備える。トップシート７２１は、吸収コア７２２の内面を覆い、バックシート７２３は吸収コア７２２の外面を覆う。補助吸収具サイドシート７３は、補助吸収具本体部７２に接合される補助吸収具接合部７３３、および、長手方向に伸びる補助吸収具側壁部７３４を備える。補助吸収具側壁部７３４の自由端には、長手方向に伸びる弾性部材が設けられる。伸張状態にて接合された当該弾性部材が収縮することにより、補助吸収具側壁部７３４において少なくとも長手方向の中央部が、補助吸収具接合部７３３近傍を固定端として補助吸収具本体部７２から起立する。補助吸収具７におけるトップシート７２１、バックシート７２３、吸収コア７２２および補助吸収具サイドシート７３の材料は、それぞれ使い捨ておむつ１におけるトップシート２１、バックシート２３、吸収コア２２および補助シート３１と同様である。
【００４５】
補助吸収具７を使い捨ておむつ１に取り付ける際には、まず、補助吸収具７が本体部２の内面上に載置される。続いて、補助吸収具７の前方部２０１側の端部における左右方向両側の角部が、前方部２０１における一対の側部ポケット５２にそれぞれ挿入される。また、補助吸収具７の後方部２０３側の端部における左右方向両側の角部が、後方部２０３における一対の側部ポケット５２にそれぞれ挿入される。前方部２０１および後方部２０３のそれぞれでは、補助シート３１において一対の傾斜エッジ３１２に沿って設けられる一対の保持弾性部材３２により補助吸収具７が本体部２に向かってある程度付勢される。これにより、補助吸収具７が本体部２上において保持される。
【００４６】
このように、使い捨ておむつ１では、本体部２の内面上に載置される補助吸収具７の前方部２０１側の端部を保持する前方保持部３３が、前方部２０１に設けられる補助シート３１の部位３３１（以下、「保持シート３３１」という。）、および、一対の保持弾性部材３２により実現される。また、補助吸収具７の後方部２０３側の端部を保持する後方保持部３４が、後方部２０３に設けられる補助シート３１の部位３４１（以下、「保持シート３４１」という。）、および、一対の保持弾性部材３２により実現される。
【００４７】
図５に示すように、本体部２の内面上に補助吸収具７が載置された状態では、補助吸収具７の両側部が、本体部２の一対の股下弾性部材２４と図５中の上下方向（長手方向および左右方向に垂直な方向）に重なる。詳細には、股下部２０２において、補助吸収具７に設けられる吸収コア７２２の左右方向における幅は、本体部２の吸収コア２２の左右方向における幅よりも大きく、補助吸収具本体部７２の各側部の下方に、吸収コア２２の側部エッジ２２１の外側に配置された股下弾性要素２４１が配置される。
【００４８】
また、吸収コア２２では、中心線Ｃ１上に薄肉部２２２が設けられており（図１参照）、長手方向に垂直な断面における股下部２０２の曲げ剛性が、中心線Ｃ１の位置において低い。使い捨ておむつ１では、伸張状態にて接合された一対の股下弾性部材２４の収縮により、図６に示すように、吸収コア２２の両側部が上方（使い捨ておむつ１の着用状態における着用者側）に押し上げられるとともに、本体部２の断面形状が下方に向かって突出する凸状となる。実際には、薄型の吸収コア２２の側部エッジ２２１近傍には、左右方向に伸びる多数の皺が長手方向に並んで形成され、吸収コア２２が外側に向かって湾曲した形状となる。
【００４９】
また、補助吸収具７の吸収コア７２２の両側部も着用者側に押し上げられ、長手方向に垂直な補助吸収具本体部７２の断面形状が、下方（着用者とは反対側）に向かって突出する凸状となる。したがって、補助吸収具７では、補助吸収具本体部７２の内面、および、一対の補助吸収具側壁部７３４により囲まれる収容空間の上下方向における深さが深くなる。これにより、着用者からの尿等の排泄物が当該収容空間にて保持されやすくなり、排泄物の補助吸収具７の外部への漏れ（特に、左右方向からの横漏れ）を抑制しつつ、排泄物の水分が補助吸収具７の吸収コア７２２にて適切に吸収される。
【００５０】
実際には、一対の補助吸収具側壁部７３４の固定端近傍が、一対の股下弾性部材２４とそれぞれ重なり、補助吸収具側壁部７３４の固定端が着用者側に押し上げられる。これにより、補助吸収具側壁部７３４が着用者の肌に密着し、その結果、排泄物が補助吸収具７および使い捨ておむつ１の外部へと漏出することがより確実に防止される。
【００５１】
以上に説明したように、図４に示す使い捨ておむつ１では、前方保持部３３および後方保持部３４のそれぞれが、本体部２の内面上に重ねられる保持シート３３１，３４１を備え、保持シート３３１，３４１において本体部２の端部および両側部のエッジに沿う部位が本体部２の内面に接合される。また、保持シート３３１，３４１には、本体部２の当該端部から股下部２０２に向かうに従って中心線Ｃ１から左右方向の両側に離れる一対の傾斜エッジ３１２が形成され、当該一対の傾斜エッジ３１２に沿って一対の保持弾性部材３２が接合される。本体部２の内面上に取り付けられる補助吸収具７では、前方部２０１側の端部および後方部２０３側の端部のそれぞれにおける各側部の角部が、傾斜エッジ３１２に沿う保持弾性部材３２により本体部２に向かってある程度押し付けられる。これにより、長手方向および左右方向の双方における補助吸収具７のずれを抑制することができる。
【００５２】
また、補助吸収具７の各角部を側部ポケット５２に挿入することにより、補助吸収具７の使い捨ておむつ１への取付が完了するため、例えば左右方向に長い保持用のポケット（開口部を形成するエッジが左右方向に伸びるポケット）に補助吸収具７の端部の全体を挿入する場合に比べて、補助吸収具７を使い捨ておむつ１に容易に取り付けることができる。さらに、傾斜エッジ３１２により補助吸収具７を本体部２に対して押さえる使い捨ておむつ１では、様々なサイズや形状の補助吸収具７を保持することが可能である。前方保持部３３および後方保持部３４は、保持シート３３１，３４１および複数の保持弾性部材３２を設けた簡単な構造であるため、左右方向に長い保持用のポケットを形成する場合に比べて、使い捨ておむつ１の部品点数が過度に増大することもない。
【００５３】
前方保持部３３および後方保持部３４のそれぞれの保持シート３３１，３４１では、当該保持部３３，３４が設けられる本体部２の端部側にて一対の傾斜エッジ３１２を接続する接続エッジ３１３が設けられ、当該接続エッジ３１３が、当該端部における端部接合部３１８から長手方向に離間する。これにより、保持シート３３１，３４１において、左右方向の広範囲に亘る防漏用のポケット（中央ポケット５１および側部ポケット５２）を形成することができ、本体部２の当該端部側からの排泄物の漏れを抑制することができる。
【００５４】
本体部２を長手方向および左右方向に伸張した状態において、一対の傾斜エッジ３１２の中心線Ｃ１に対する傾斜角が４５°以下であることにより、本体部２の当該端部の両側部において長手方向に深い側部ポケット５２を形成することができる。その結果、補助吸収具７の補助吸収具側壁部７３４に沿って長手方向に流れる排泄物を、側部ポケット５２にて適切に保持することができる。
【００５５】
使い捨ておむつ１では、股下部２０２において、中心線Ｃ１上における吸収コア２２の厚さが、吸収コア２２の他の位置における厚さよりも薄い。また、長手方向に伸びる一対の股下弾性部材２４が、股下部２０２において吸収コア２２の両側部エッジ２２１近傍に設けられ、本体部２の内面上に補助吸収具７が載置された状態において、補助吸収具７の両側部が一対の股下弾性部材２４と重なる。これにより、一対の股下弾性部材２４の収縮により、股下部２０２において吸収コア２２および補助吸収具７を下方（着用者とは反対側）に凸状としつつ補助吸収具７の両側部が着用者側に押し上げられる。その結果、着用者からの排泄物を補助吸収具７にて適切に受けるとともに、補助吸収具７からの横漏れを抑制することができる。
【００５６】
ここで、本体部２の吸収コアが厚い（例えば、補助吸収具７の吸収コア７２２と同程度に厚い）比較例の使い捨ておむつを想定する。当該比較例の使い捨ておむつでは、当該吸収コアの剛性が高いため、補助吸収具７を取り付けた際に、当該吸収コアにより補助吸収具７が下方から安定して支持される。一方、比較例の使い捨ておむつでは、厚い２枚の吸収コアが重ねられるため、内部が蒸れやすくなる。また、薄型の吸収コア２２（例えば、補助吸収具７の吸収コア７２２よりも薄い吸収コア２２）が用いられる図５の使い捨ておむつ１において、股下弾性部材２４を省略した他の比較例の使い捨ておむつを想定する。当該他の比較例の使い捨ておむつでは、補助吸収具７を取り付けた場合でも、薄型の吸収コア２２の採用により、内部が蒸れにくくなる。一方、吸収コア２２の剛性が低いため、使い捨ておむつの内部において補助吸収具７の保持が不安定となる。
【００５７】
これに対し、図５の使い捨ておむつ１では、薄型の吸収コア２２が採用されるとともに、補助吸収具７の両側部と重なる一対の股下弾性部材２４が本体部２に設けられる。これにより、使い捨ておむつ１の内部の蒸れを抑制しつつ、一対の股下弾性部材２４により、補助吸収具７を下方から安定して支持することができる。使い捨ておむつ１では、補助吸収具７を本体部２側に押し付ける前方保持部３３および後方保持部３４、並びに、補助吸収具７を着用者側に押し付ける一対の股下弾性部材２４により、補助吸収具７をしっかりと保持することができる。また、薄肉部２２２が設けられる吸収コア２２では、内部の蒸れをさらに抑制することができる。
【００５８】
また、補助吸収具７では、補助吸収具本体部７２の両側部上において補助吸収具本体部７２の長手方向に伸びるとともに長手方向の中央部が補助吸収具本体部７２から起立する一対の補助吸収具側壁部７３４が設けられる。そして、本体部２の内面上に補助吸収具７が載置された状態において、一対の補助吸収具側壁部７３４の固定端近傍が、一対の股下弾性部材２４と重なる。これにより、使い捨ておむつ１では、補助吸収具側壁部７３４の固定端を着用者側に押し上げることができ、補助吸収具７からの横漏れをさらに抑制することができる。
【００５９】
使い捨ておむつ１では、本体部２の内面上に補助吸収具７が載置された状態において、一対の補助吸収具側壁部７３４の左右方向の外側が、股下部２０２において他の側壁部により覆われない。換言すると、本体部２の股下部２０２において、一対の股下弾性部材２４よりも左右方向の外側の部位が、長手方向に伸縮性を有さない。これにより、着用者の鼠径部や脚回りが不必要に押さえられることが防止され、使い捨ておむつ１の着用感を向上することができる。
【００６０】
上記使い捨ておむつ１では様々な変形が可能である。
【００６１】
上記実施の形態では、保持シート３３１，３４１における傾斜エッジ３１２が直線状であるが、傾斜エッジ３１２は曲線状であってもよい。この場合、傾斜エッジ３１２と中心線Ｃ１とがなす平均的な角度が、傾斜エッジ３１２の傾斜角となる。
【００６２】
前方保持部３３の保持シート３３１および後方保持部３４の保持シート３４１は必ずしも１枚の補助シート３１にて形成される必要はなく、互いに分離した複数のシートにて形成されてもよい。また、使い捨ておむつ１の設計によっては、一対の傾斜エッジ３１２が端部接合部３１８まで伸びることにより中央ポケット５１が省略されてもよく、この場合、一対の側部ポケット５２を形成する保持シートが、左右に分離した２枚のシートであってよい。
【００６３】
前方保持部３３および後方保持部３４の一方の保持部において、保持シート３３１，３４１および一対の保持弾性部材３２の組合せが設けられ、他方の保持部において、左右方向に長い保持用のポケット（開口部を形成するエッジが左右方向に伸びるポケット）が設けられてもよい。この場合、当該一方の保持部の保持シート３３１，３４１では、当該一方の保持部が設けられる本体部２の端部から股下部２０２に向かうに従って中心線Ｃ１から左右方向の両側に離れる一対の傾斜エッジ３１２が設けられる。補助吸収具７の使い捨ておむつへの取付をさらに容易に行うには、上記使い捨ておむつ１のように、当該他方の保持部が、当該一方の保持部の保持シートと同様の構造である他の保持シート、および、当該一方の保持部の一対の保持弾性部材と同様の構造である他の一対の保持弾性部材を備えることが好ましい。
【００６４】
上記使い捨ておむつ１では、薄型の吸収コア２２（例えば、テープタイプの吸収コア２２）が採用されるが、このような吸収コア２２では、吸収量も比較的低くなるため、補助吸収具７のずれによる排泄物の補助吸収具７の外部への漏出を防止することが重要となる。したがって、一対の傾斜エッジ３１２を有する保持シート３３１，３４１、および、一対の傾斜エッジ３１２に沿って設けられる一対の保持弾性部材３２により補助吸収具７のずれを抑制する上記手法は、薄型の吸収コア２２を有する使い捨ておむつに特に適しているといえる。
【００６５】
使い捨ておむつ１では、股下部２０２において側部接合部３１９の幅が狭くされるとともに、開口３１１の長手方向に伸びるエッジに沿って補助シート３１に弾性部材が設けられ、着用者側に立ち上がるギャザーが形成されてもよい。
【００６６】
上述の使い捨ておむつ１の構造は、テープタイプの使い捨ておむつ以外に、前方部２０１の両側部が、後方部２０３の両側部にそれぞれ接合されることにより、前方部２０１および後方部２０３の上端に胴部開口が形成され、股下部２０２の左右に一対の脚部開口が形成されるパンツタイプの使い捨ておむつや、その他、様々な吸収性物品に利用されてよい。
【００６７】
上記実施の形態および各変形例における構成は、相互に矛盾しない限り適宜組み合わされてよい。
【符号の説明】
【００６８】
１    使い捨ておむつ
２    本体部
４    接続部
７    補助吸収具
２１    トップシート
２２    吸収コア
２３    バックシート
２４    股下弾性部材
３２    保持弾性部材
３３    前方保持部
３４    後方保持部
２０１    前方部
２０２    股下部
２０３    後方部
２２１    側部エッジ
３１２    傾斜エッジ
３１３    接続エッジ
３１８    端部接合部
３１９    側部接合部
３３１，３４１    保持シート
Ｃ１    中心線
【図１】
0006389422.tif 000002
【図２】
0006389422.tif 000003
【図３】
0006389422.tif 000004
【図４】
0006389422.tif 000005
【図５】
0006389422.tif 000006
【図６】
0006389422.tif 000007